(57)【要約】【課題】取扱いが非常に簡易であると共に、作業者に負担をかけることなく一連の収納箱組み立て作業を簡単に行うことができる運搬用収納箱を提供する。【解決手段】前面に開閉自在な開閉片１７ａ、１７ｂを有する六面体形状からなる収納箱本体１と、該収納箱本体１内に装着される仕切り体２とを備えている。仕切り体２は、長手方向の一辺に所定間隔を有して短手方向に複数の切込が略平行に形成された複数の仕切り片３１、３２から構成されると共に、前記切込を相互に係入させて複数の前記仕切り片３１、３２が格子状に連結されている。前記仕切り体２は、前記仕切り片３１、３２が前後方向に配置されるように前記収納箱本体１に装着される。【選択図】図１
2015227216.tif 000002
【特許請求の範囲】
【請求項１】
前面に開閉自在な開閉片を有する六面体形状からなる収納箱本体と、
該収納箱本体内に装着される仕切り体とを備え、
該仕切り体は、長手方向の一辺に所定間隔を有して短手方向に複数の切込が略平行に形成された複数の仕切り片から構成されると共に、前記切込を相互に係入させて複数の前記仕切り片が格子状に連結されてなり、
しかも前記仕切り体は、前記仕切り片が前後方向に配置されるように前記収納箱本体に装着されることを特徴とする運搬用収納箱。
【請求項２】
前記収納箱本体は、天井片と、該天井片と対向配置される底片と、相互に対向配置される一対の側片とにより四角筒形状に形成されて扁平状に折り畳み可能な角筒状部と、前記開閉片に対向して背面に設けられる背面片とを備え、
前記開閉片が、前記一方の側片の前方側端縁に連設された第１開閉片と、前記他方の側片の前方側端縁に連設された第２開閉片とからなると共に、
前記背面片が、前記一方の側片の後方側端縁に連設された第１背面片と、前記他方の側片の後方側端縁に連設された第２背面片とからなる請求項１記載の運搬用収納箱。
【請求項３】
前記天井片の前後両端縁に夫々連設される第１固定片と、
前記底片の前後端縁に夫々連設される第２固定片と、
前記開閉片及び前記背面片により収納箱反対の前面及び背面を閉鎖した際に、その閉鎖状態を維持するための固定手段とを備えている請求項１又は２記載の運搬用収納箱。
【請求項４】
前記収納箱本体に前記仕切り本を装着した際に、該仕切り体の仕切り片の端縁部が前記収納箱本体の内面に係合するように構成されている請求項１〜３の何れか一つに記載の運搬用収納箱。
【請求項５】
前記収納箱本体の側片、天井片及び底片の内面に、凸状部が前後方向に多数形成されている請求項１〜４の何れか一つに記載の運搬用収納箱。
【請求項６】
前記収納箱本体がプラスティック製ダンボールからなると共に、仕切り片がプラスティック製ダンボール又は紙製ダンボールからなる請求項１〜５の何れか一つに記載の運搬用収納箱。
【発明の詳細な説明】
【技術分野】
【０００１】
本発明は、例えば引っ越し時等のように、多数の物品を内部に収納した状態で運搬される場合に最適な運搬用収納箱に関するものである。
【背景技術】
【０００２】
従来、この種の運搬用収納箱としては、例えば、特開平７−３００１２８号公報に記載のものが公知である。すなわち、前記従来の運搬用収納箱は、底面板と、側面板と、上面板とが連設されて折り畳み可能に構成された包装用箱本体と、両端部に断面逆三角形状の折返し部を備えた組み立て自在な複数の中仕切り棚板とからなるものである。組み立てられた包装用箱本体には、複数の中仕切り棚板が複数段に積み重ねた状態で収容される。そして、各中仕切り棚板上の植木苗等の物品を載置した状態で収納して使用される。
【先行技術文献】
【特許文献】
【０００３】
【特許文献１】特開平７−３００１２８号公報
【発明の概要】
【発明が解決しようとする課題】
【０００４】
しかしながら、上記従来の運搬用収納箱における中仕切り棚板は、その両端に設けた析曲片を内側に夫々折り返して製作されるものであり、加えてかかる中仕切り棚板は複数で構成されるものであるために、一連の組み立て作業が厄介な作業となる結果、作業者に負担をかけるという問題点を有していた。これに対して、中仕切り棚板を予め製作しておくことは可能であるが、立体的に製作された中仕切り棚板は嵩張ってしまうために、十分な保管スペースを確保する必要が生じるばかりではなく、その取扱いが非常に煩雑になるという新たな不都合が生じてしまう。
【０００５】
それ故に、本発明は、かかる点に鑑みてなされたものであり、その目的とするところは、取扱いが非常に簡易であると共に、作業者に負担をかけることなく一連の収納箱組み立て作業を簡単に行うことができる運搬用収納箱を提供することにある。
【課題を解決するための手段】
【０００６】
本発明に係る運搬用収納箱は、前面に開閉自在な開閉片を有する六面体形状からなる収納箱本体と、該収納箱本体内に装着される仕切り体とを備え、該仕切り体は長手方向の一辺に所定間隔を有して短手方向に複数の切込が略平行に形成された複数の仕切り片から構成されると共に、前記切込を相互に係入させて複数の前記仕切り片が格子状に連結されてなり、しかも前記仕切り体は、前記仕切り片が前後方向に配置されるように前記収納箱本体に装着されることを特徴としている。
【０００７】
この運搬用収納箱にあっては、収納箱本体の開閉片を開放した状態で、通常複数の物品が仕切り体の各仕切り片上に収納される。その後、開閉片により収納箱本体の前面が閉鎖されて、この状態で自動車等の運搬車両により収納箱が運搬される。
【０００８】
この場合において、仕切り体は仕切り片の切込を相互に係入させて複数の仕切り片を格子状に連結したものであるために、略扁平状に簡易に折り畳むことができる。これによれば、保管スペースを必要以上に要するということはなく、その取扱いも非常に簡易なものになる。また、このように一体形成された仕切り体を収納箱本体内に装着するだけで運搬用収納箱を製作できるために、一連の収納箱組み立て作業の簡略化が図れることになる。
【０００９】
また、前記収納箱本体は、天井片と、該天井片と対向配置される底片と、相互に対向配置される一対の側片とにより四角筒形状に形成されて扁平状に折り畳み可能な角筒状部と、前記開閉片に対向して背面に設けられる背面片とを備え、前記開閉片が前記一方の側片の前方側端縁に連設された第１開閉片と、前記他方の側片の前方側端縁に連設された第２開閉片とからなると共に、前記背面片が、前記一方の側片の後方側端縁に連設された第１背面片と、前記他方の側片の後方側端縁に連設された第２背面片とからなるように構成しても構わない。
【００１０】
これによれば、収納箱本体に装着された仕切り体は、収納箱本体の角筒状部内に配されることになり、収納箱本体の背面は第１及び第２背面片により閉鎖される。物品は前面側から仕切り体の仕切り片に収納され、その後第１及び第２開閉片により収納箱本体の前面が閉鎖される。そして、この状態で運搬車両等により運搬されることになる。
【００１１】
この場合において、仕切り体及び角筒状部は扁平状に折り畳み可能であるために、第１及び第２開閉片と第１及び第２背面片とにより、夫々収納箱本体の前面と背面が開放された状態においては、仕切り体を角筒状部に装着した状態で一体的に折り畳むことができる。そして、この状態で保管しておくことも可能であり、さらには一層の組み立て作業の簡略化を図ることができるために、作業者の負担も大幅に軽減されることになる。
【００１２】
また、前記天井片の前後両端縁に夫々連設される第１固定片と、前記底片の前後端縁に夫々連設される第２固定片と、前記開閉片及び前記背面片により収納箱反対の前面及び背面を閉鎖した際に、その閉鎖状態を維持するための固定手段とを備えさせることも可能である。
【００１３】
これによると、第１固定片及び第２固定片を前面又は背面側に析曲した状態で、開閉片と背面片とを固定片側に析曲し、固定手段により収納箱本体の前面及び背面を閉鎖する。このように固定手段を備えさせることで、開閉片と背面片により収納箱本体の前面及び背面を無理なく容易に且つ確実に閉鎖することが可能になる。
【００１４】
また、前記収納箱本体に前記仕切り体を装着した際に、該仕切り体の仕切り片の端縁部が前記収納箱本体の内面に係合するように構成してもよい。
【００１５】
これによると、収納箱本体及び仕切り体の組み立て形態を良好に維持することができると共に、内部で仕切り体が不用意に移動するようなこともなく、その装着状態を的確に維持することができる。従って、内部に収納される物品に損傷等を与えるようなこともなくなり、運搬車両等による一連の運搬作業も適切に行えるのである。
【００１６】
また、前記収納箱本体の側片、天井片及び底片の内面に、凸状部を前後方向に多数形成するようにしても構わない。
【００１７】
ところで、仕切り体は収納箱本体にその前面側から装着されることになるが、収納箱本体の側片、天井片及び底片の内面には多数の凸状部を前後方向に形成されているために、仕切り体の収納箱本体への装脱作業をスムースに行うことができる。
【００１８】
また、前記収納箱本体がプラスティック製ダンボールからなると共に、仕切り片がプラスティック製ダンボール又は紙製ダンボールからなるように構成することも可能である。
【００１９】
これによると、収納箱本体をプラスチィック製ダンボールで構成した場合は、この種の運搬用収納箱に要求される十分な軽量性、耐久性等を備えるために、所謂「通い箱」としての使用にも適用することができる。また、仕切り体はコストや仕様等に応じて、適宜プラスティック製ダンボール又は紙製ダンボールの何れかを選択して適用することが可能になる。
【発明の効果】
【００２０】
本発明によれば、取扱いが非常に簡易であると共に、作業者に負担をかけることなく一連の収納箱組み立て作業を簡単に行うことができる運搬用収納箱を得ることができる。
【図面の簡単な説明】
【００２１】
【図１】本発明に係る運搬用収納箱の一実施形態を示す斜視図である。
【図２】収納箱本体を展開した状態を示す平面図である。
【図３】前面を開放した状態に組み立てられた収納箱本体を示す斜視図である。
【図４】前面及び背面を開放した状態に組み立てられた収納箱本体を示す斜視図である。
【図５】仕切り体を示す斜視図である。
【図６】仕切り体を分解した状態を示す斜視図である。
【図７】組み立てられた運搬用収納箱を示す斜視図である。
【図８】運搬用収納箱を折り畳んだ状態を示す正面図である。
【発明を実施するための形態】
【００２２】
以下、本発明に係る運搬用収納箱の一実施形態について、図面に従って説明する。図１に示すように、運搬用収納箱Ａは六面体形状に形成された収納箱本体１と、収納箱本体１の内部に着脱自在に装着される仕切り体２とを備えている。かかる運搬用収納箱Ａは、仕切り体２を利用して運搬すべき物品を収納箱本体１内に収納した状態で、例えば自動車等の運搬車両により運搬されるものである。
【００２３】
収納箱本体１は、所謂「プラダン」と称されるプラスチィック製ダンボールからなり、本実施形態においてはポリプロピレンを紙ダンボールと同様の中空シート状に形成したものを使用している。従って、収納箱本体１は軽量であると共に、良好な耐久性、耐熱性等に備えており、紙ダンボール製のものに比べて水や油に強く、丈夫で長寿命という特徴を有している。よって、この特徴を活かして繰り返し使用する所謂「通い箱」として使用することも勿論可能である。また、一般に耐久性が要求さえる運搬用の収納箱としても最適であると言うことができる。
【００２４】
図２は収納箱本体１を平面状に展開した状態を示しており、図３は組み立てた状態を示している。収納箱本体１は、天井片１１と側片１２ａと底片１３と側片１２ｂと取付片１４とが一列状に連設されると共に、天井片１１と底片１３の前後両端縁には夫々第１固定片１５及び第２固定片１６が連設され、各側片１２ａ、１２ｂの前方側端縁には第１開閉片１７ａ、第２開閉片１７ｂが夫々連設され、さらに各側片１２ａ、１２ｂの後方側端縁には第１背面片１８ａ、第２背面片１８ｂが夫々連設されている。一対の開閉片１７ａ、１７ｂにより収納箱本体１の前面が閉鎖され、一対の背面片１８ａ、１８ｂにより収納箱本体１の背面が閉鎖されることになる。この閉鎖状態を維持するために、本実施形態では各開閉片１７ａ、１７ｂ及び各背面片１８ａ、１８ｂの裏面側の外隅部付近には固定手段としてのマジックテープ（登録商標）１９が取付けられると共に、これに対応する各固定片１５、１６の表面側の部位には破線で示すように 固定手段としてのマジックテープ（登録商標）２０が取付けられている。このような固定手段を備えさせることにより、開閉片１７ａ、１７ｂと背面片１８ａ、１８ｂにより収納箱本体１の前面及び背面を無理なく容易に且つ確実に閉鎖することが可能になる。
【００２５】
収納箱本体１の両裏面には、所定間隔を有して前後方向に複数の凸状部２１が形成されている。なお、この凸状部２１は収納箱本体１を構成する全片が備えているが、図面では天井片１１、側片１２ａ、１２ｂ及び底片１３についてのみ凸状部２１を表しており、他の各片については省略している。
【００２６】
収納箱本体１は、図４に示すように予め天井片１１、側片１２ａ、底片１３及び側片１２ｂとにより四角筒形状の角筒状部２２が形成されるように製作されており、取付片１４を介して溶着により側片１２ｂと天井片１１とが連結状態に固定される。この状態において、両側片１２ａ、１２ｂを側方に傾倒させることにより、収納箱本体１は扁平状に折り畳み可能に構成されている。仕切り体２の未装着時には、収納箱本体１はこの折り畳み状態で収容することができるために、保管スペースの削減等が図れる。
【００２７】
仕切り体２は、図５に示すように複数の長尺状の第１仕切り片３１と、これよりも短寸に形成された複数の第２仕切り片３２とを備えており、各仕切り片３１、３２は例えば紙製ダンボールで構成される。各仕切り片３１、３２の長手方向の一辺には、所定間隔を有して短手方向に複数の切込３３、３４が略平行に夫々形成されている。図６に示すように、一方の仕切り片３１に切込３３に他方の仕切り片３２の切込３４が対向するように、複数の仕切り片３１、３２を交差させて上下に配置し、各切込３３、３４を相互に係入させる。これにより、複数の仕切り片３１、３２が格子状に連結された仕切り体２が組み立てられる。仕切り体２はこのような構成からなるために、扁平状に折り畳むことができる。従って、保管スペースを必要以上に要するということはなく、その取扱いも非常に簡易なものになる。
【００２８】
仕切り体２は、図３に示す前面の固定片１５、１６を開放し、この状態で図１の如く仕切り体２の仕切り片３１、３２が前後方向に配置されるように収納箱本体１に装着される。
【００２９】
なお、仕切り片３１の長手方向の長さは組み立てられた収納箱本体１の上下方向の内寸と略同一に設定されており、仕切り片３２の長手方向の長さは収納箱本体１の左右方向の内寸と略同一に設定されている。また、仕切り片３１、３２の短手方向の長さは収納箱本体１の前後方向の内寸と略同一に設定されている。従って、仕切り体２の仕切り片３１、３２を収納箱本体１内に装着した際には、仕切り片３１の上端が天井片１１の下面に係合すると共に、下端が底片１３の上面に係合する一方で、仕切り片３２の左右両端が夫々側片１２ａ、１２ｂの内面に係合することになる。また、仕切り片３１、３２の前後両端の一部が固定片１５、１６に係合することになる。これにより、収納箱本体１及び仕切り体２の組み立て形態を良好に維持することができると共に、内部で仕切り体２が不用意に移動するようなこともなく、その装着状態を的確に維持することができる。従って、内部に収納される履物Ｂに損傷等を与えるようなこともなくなり、運搬車両等による一連の運搬作業も適切に行えるのである。
【００３０】
本実施形態に係る運搬用収納箱Ａは以上のような構成からなり、以下これを履物の収納箱に適用した一例について説明する。先ず、図４に示すように開放状態にある収納箱本体１の背面を閉鎖する。すなわち、背面側の固定片１５、１６を内向き約９０°析曲した状態で各背面片１８ａ、１８ｂを内向きに約９０°析曲して、マジックテープ（登録商標）１９、２０を介して固定する。これにより、収納箱本体１の背面が閉鎖される（図３参照）。
【００３１】
次に、開閉片１７ａ、１７ｂを左右方向に開放すると共に、固定片１５、１６を上下方向に夫々開放した状態で、図１に示すように仕切り体２の仕切り片３１、３２が前後方向に配置されるように装着する。この場合において、収納箱本体１の天井片１１、底片１３及び側片１２ａ、１２ｂの内面には前後方向に凸状部２１が形成されているために、仕切り体２の装脱作業をスムースに行うことができる。
【００３２】
なお、この場合において、仕切り体２は予め収納箱本体１の角筒状部２２内に装着しておくことも可能である。これら仕切り体２及び角筒状部２２は扁平状に折り畳み可能であるために、収納箱本体１の前面及び背面が開放された状態においては、図８に示すように仕切り体２を角筒状部２２に装着した状態で一体的に折り畳むことができる。そして、この状態で保管しておくことも可能であり、さらには一連の組み立て作業を一層簡略化することができるために、作業者の負担も大幅に軽減されることになる。
【００３３】
次に、図１に示すように履物Ｂを仕切り体２の仕切り片３２上に載置して収納した後、固定片１５、１６を内向きに約９０°析曲した状態で、図７に示すように開閉片１７ａ、１７ｂを内向きに９０°析曲し、マジックテープ（登録商標）１９、２０を介して収納箱本体１の前面を閉鎖する。これにより、履物Ｂの収納作業は終了し、この状態で運搬車両等に積載して運搬される。
【００３４】
以上で説明したように、本実施形態に係る運搬用収納箱Ａは極めて簡易な構成からなるために、その製作も安価に行えるという実用的な利点を有している。
【００３５】
なお、上記実施形態においては、収納物を履物Ｂとした場合について説明したが、本発明に係る運搬用収納箱に収納可能な収納物は決してこれに限定されるものでなく、種々の物品について幅広く適用可能である。
【００３６】
また、上記実施形態における仕切り体２は、長さの異なる２種類の仕切り片３１、３２により構成しているが、この仕切り片３１、３２は同じ長さの１種類のもので構成しても構わない。
【００３７】
また、上記実施形態にあっては、天井片１１、側片１２ａ、底片１３及び側片１２ｂとにより収納箱本体１が予め角筒状部２２を備えるように製作したが、例えば収納箱本体１の一連の組み立て作業において角筒状部２２が形成されるようにしてもよい。
【００３８】
また、上記実施形態では、天井片１１の前後両端縁に夫々第１固定片１５を連設する共に、底片１３の前後端縁に夫々第２固定片１６を連設し、固定手段で開閉片１７ａ、１７ｂ及び背面片１８ａ、１８ｂによる収納箱本体１の閉鎖状態を維持するようにしているが、かかる閉塞状態を維持する手段も決してこれに限られるものではない。例えば、第１及び第２固定片１５、１６を設けずに、開閉片１７ａ、１７ｂ及び背面片１８ａ、１８ｂ同士が直接固定手段を介して固定されるようにしてもよい。
【００３９】
さらに、上記実施形態では、収納箱本体１に仕切り体２を装着した際に、仕切り体２の仕切り片３１、３２の端縁部が収納箱本体１の内面に係合するように構成するようにしているが、必ずしもこのように構成する必要はない。
【００４０】
また、収納箱本体１の両裏面には、上記実施形態のように複数の凸状部２１を形成する必要はなく、かかる凸状部２１は省略してもよい。
【００４１】
また、上記実施形態では、収納箱本体１をプラスチィック製ダンボールで構成すると共に、仕切り体２の仕切り片３１、３２を紙製ダンボールで構成したが、本発明は決してこれに限定されるものではなく、適宜変更が可能である。
【００４２】
その他、収納箱本体１、仕切り体２の大きさや各部の具体的な構成も本発明が意図する範囲内において任意に設計変更自在である。
【符号の説明】
【００４３】
１    収納箱本体
２    仕切り体
１７ａ    開閉片
１７ｂ    開閉片
３１    仕切り片
３２    仕切り片
【図１】
2015227216.tif 000003
【図２】
2015227216.tif 000004
【図３】
2015227216.tif 000005
【図４】
2015227216.tif 000006
【図５】
2015227216.tif 000007
【図６】
2015227216.tif 000008
【図７】
2015227216.tif 000009
【図８】
2015227216.tif 000010